(57)【特許請求の範囲】
【請求項１】
筐体（２０）と、
複数のスルーホール（３０ｃ）を有し、前記筐体に収容された回路基板（３０）と、
対応する前記スルーホールを挿通し、前記回路基板と電気的に接続された複数の端子（４２）と、複数の前記端子を保持するハウジング（４１）と、を有し、前記端子が、前記ハウジングの幅方向に配列されたコネクタ（４０）と、を備え、
複数の前記端子は、前記ハウジングに保持された被保持部（４２ａ）と、前記被保持部から前記回路基板側に延設された脚部（４２ｃ）と、をそれぞれ有し、
前記脚部は、前記幅方向に直交する前記ハウジングの高さ方向において、前記脚部を前記回路基板側である下方に屈曲する第１屈曲部（４２ｄ）と、前記第１屈曲部から下方に延設され、一部が前記スルーホールに挿入された挿入部（４２ｅ）と、前記第１屈曲部と前記被保持部とをつなぐ繋ぎ部（４２ｆ）と、を有し、
複数の前記端子のうち、下方から１段目の前記被保持部を有する前記端子が、前記繋ぎ部として、前記被保持部よりも該被保持部に連なる前記脚部の前記第１屈曲部が上方に位置するように、前記繋ぎ部を前記第１屈曲部に向けて斜め上方に屈曲する第２屈曲部（４２ｈ）、及び、該第２屈曲部から斜め上方に延設された傾斜部（４２ｉ）を備えた傾斜端子（４３）となっており、
前記回路基板の下面が、前記１段目の前記被保持部よりも、前記高さ方向において上方に位置している電子装置。
【請求項２】
前記高さ方向において、前記挿入部の先端が、前記ハウジングの下側部分の外面よりも上方に位置している請求項１に記載の電子装置。
【請求項３】
前記高さ方向において、前記第１屈曲部は前記回路基板の一面（３０ａ）側に配置され、前記挿入部の先端は前記回路基板の裏面（３０ｂ）側に配置されており、
前記筐体は、前記一面側に配置されたケース（２１）と、前記裏面側に配置されたカバー（２２）を有し、
前記カバーにおいて、前記高さ方向からの投影視で前記コネクタと重なる部分が、平坦とされている請求項１又は請求項２に記載の電子装置。
【請求項４】
前記カバーの平坦部分における外面が、前記ハウジングの下側部分の外面と面一とされている請求項３に記載の電子装置。
【請求項５】
前記繋ぎ部は、前記第２屈曲部と前記第１屈曲部の間に設けられ、該繋ぎ部を前記第１屈曲部に向けて屈曲する第３屈曲部（４２ｊ）を有している請求項１〜４いずれか１項に記載の電子装置。
【請求項６】
前記傾斜端子は、前記高さ方向において前記ハウジングに多段に保持されており、
多段に保持された前記傾斜端子において、前記繋ぎ部の前記第３屈曲部と前記第１屈曲部との間の部分における前記高さ方向の間隔の最も狭い部分が、前記被保持部における前記高さ方向の間隔よりも狭くなっている請求項５に記載の電子装置。
【請求項７】
前記幅方向及び前記高さ方向の両方向に直交する直交方向において、前記被保持部と、該被保持部に連なる前記脚部の前記第３屈曲部との距離が、上方に位置する前記傾斜端子ほど短くなっている請求項６に記載の電子装置。
【請求項８】
前記幅方向及び前記高さ方向の両方向に直交する直交方向において、前記被保持部と、該被保持部に連なる前記脚部の前記第２屈曲部との距離が、上方に位置する前記傾斜端子ほど長くなっている請求項６に記載の電子装置。
【発明の詳細な説明】
【技術分野】
【０００１】
この明細書における開示は、筐体と、筐体に収容された回路基板と、回路基板に実装されたコネクタと、を備える電子装置に関する。
【背景技術】
【０００２】
特許文献１には、筐体と、筐体に収容された回路基板と、回路基板に実装されたコネクタと、を備える電子装置が開示されている。
【０００３】
コネクタは、回路基板に形成されたスルーホールを挿通し、回路基板と電気的に接続された複数の端子と、複数の端子を保持するハウジングを有している。複数の端子は、ハウジングの幅方向に配列されている。各端子は、ハウジングに保持される被保持部と、被保持部から回路基板側に延設された脚部を有している。
【０００４】
脚部は、第１屈曲部と、幅方向に直交するハウジングの高さ方向において第１屈曲部から回路基板側である下方に延設され、一部がスルーホールに挿入された挿入部と、第１屈曲部と被保持部とをつなぐ繋ぎ部を有している。挿入部はスルーホールを挿通した状態で、回路基板にはんだ付けされている。
【先行技術文献】
【特許文献】
【０００５】
【特許文献１】特開２０１１−２１７５４７号公報
【発明の概要】
【発明が解決しようとする課題】
【０００６】
挿入部の先端との接触を避けるように、筐体を設ける必要がある。挿入実装構造の場合、挿入部からはんだがつらら状に垂れ下がるはんだつららが生じることがある。したがって、はんだつららが生じても該はんだつららに接触しないように、筐体を設ける必要がある。
【０００７】
また、高さ方向における挿入部の先端位置は、下方から１段目の端子における第１屈曲部の位置を基準に決定される。特許文献１に開示されるように従来の電子装置では、脚部が略Ｌ字状をなしており、被保持部と、該被保持部に連なる脚部の第１屈曲部とが、高さ方向においてほぼ同じ位置にある。このため、挿入部の先端の位置が下方となり、挿入部の先端やはんだつららとの接触を避けるように、筐体をたとえば凹形状としなければならない。したがって、高さ方向において電子装置の体格を小型化するのが困難である。
【０００８】
本開示はこのような課題に鑑みてなされたものであり、高さ方向において従来よりも体格の小型化を図ることのできる電子装置を提供することを目的とする。
【課題を解決するための手段】
【０００９】
本開示は、上記目的を達成するために以下の技術的手段を採用する。なお、括弧内の符号は、ひとつの態様として後述する実施形態に記載の具体的手段との対応関係を示すものであって、技術的範囲を限定するものではない。
【００１０】
本開示のひとつは、筐体（２０）と、
複数のスルーホール（３０ｃ）を有し、筐体に収容された回路基板（３０）と、
対応するスルーホールを挿通し、回路基板と電気的に接続された複数の端子（４２）と、複数の端子を保持するハウジング（４１）と、を有し、端子が、ハウジングの幅方向に配列されたコネクタ（４０）と、を備え、
複数の端子は、ハウジングに保持された被保持部（４２ａ）と、被保持部から回路基板側に延設された脚部（４２ｃ）と、をそれぞれ有し、
脚部は、幅方向に直交するハウジングの高さ方向において、脚部を回路基板側である下方に屈曲する第１屈曲部（４２ｄ）と、第１屈曲部から下方に延設され、一部がスルーホールに挿入された挿入部（４２ｅ）と、第１屈曲部と被保持部とをつなぐ繋ぎ部（４２ｆ）と、を有し、
複数の端子のうち、下方から１段目の被保持部を有する端子が、繋ぎ部として、被保持部よりも該被保持部に連なる脚部の第１屈曲部が上方に位置するように、繋ぎ部を第１屈曲部に向けて斜め上方に屈曲する第２屈曲部（４２ｈ）、及び、該第２屈曲部から斜め上方に延設された傾斜部（４２ｉ）を備えた傾斜端子（４３）となっており、
回路基板の下面が、１段目の被保持部よりも、高さ方向において上方に位置している。
【００１１】
上記したように、挿入部の先端の位置は、下方から１段目の端子における第１屈曲部の位置を基準に決定される。本開示の電子装置では、複数の端子のうち、下方から１段目の被保持部を有する端子が傾斜端子となっている。傾斜端子は第２屈曲部及び傾斜部を備えており、これにより第１屈曲部が被保持部よりも上方に位置している。したがって、挿入部の先端位置を従来よりも上方とし、ひいては高さ方向において電子装置の体格の小型化を図ることができる。
【図面の簡単な説明】
【００１４】
【図１】第１実施形態に係るコネクタ及び該コネクタを備える電子装置の斜視図である。
【図２】図１のII-II線に沿う断面図である。
【図３】電子装置の参考例を示す断面図である。
【図４】効果を説明するための模式的な断面図である。
【図５】第２実施形態に係る電子装置を示す断面図であり、図４に対応している。
【図６】第３実施形態に係る電子装置を示す断面図であり、図４に対応している。
【図７】第４実施形態に係る電子装置を示す断面図であり、図４に対応している。
【図８】第５実施形態に係る電子装置を示す断面図であり、図４に対応している。
【発明を実施するための形態】
【００１５】
図面を参照しながら、複数の実施形態を説明する。複数の実施形態において、機能的に及び／又は構造的に対応する部分には同一の参照符号を付与する。以下において、コネクタを構成するハウジングの高さ方向をＺ方向、Ｚ方向に直交する一方向であってハウジングの幅方向をＸ方向と示す。また、Ｚ方向及びＸ方向の両方向に直交する方向、すなわち筐体の開口部に対する奥行方向をＹ方向と示す。特に断りのない限り、ＸＹ平面に沿う形状を平面形状とする。
【００１６】
（第１実施形態）
先ず、図１及び図２に基づき、本実施形態に係るコネクタ及び該コネクタを備える電子装置の概略構成について説明する。
【００１７】
図１及び図２に示す電子装置１０は、たとえば車両に搭載される。電子装置１０は、車両を制御する電子制御装置として構成されている。電子装置１０は、たとえば車両に搭載されたエンジンを制御するエンジンＥＣＵ（Electronic Control Unit）として構成されている。電子装置１０は、筐体２０と、回路基板３０と、コネクタ４０と、を備えている。
【００１８】
筐体２０は、回路基板３０を内部に収容し、回路基板３０を保護する。たとえば回路基板３０の生じた熱に対する放熱性を向上するために、筐体２０は、アルミニウムなどの金属材料を用いて形成される。たとえば電子装置１０の軽量化を図るために、筐体２０は、樹脂材料を用いて形成される。
【００１９】
本実施形態において、筐体２０は、Ｚ方向に分割された２つの部材、具体的には、ケース２１と、カバー２２と、を有している。ケース２１及びカバー２２は、いずれもアルミニウム系材料を用いて形成されている。筐体２０は、Ｚ方向においてケース２１とカバー２２を組み付けることで形成される。ケース２１とカバー２２の組み付け方法は特に限定されない。ねじ締結など周知の組み付け方法を採用することができる。
【００２０】
ケース２１は、一面が開口する箱状をなしている。平面略矩形状をなす回路基板３０に対応して、ケース２１の底面部も略矩形状となっている。ケース２１において、４つの側面部のひとつが開口しており、側面の開口は、上記した一面の開口につながっている。
【００２１】
カバー２２は、ケース２１とともに筐体２０の内部空間を形成する。ケース２１とカバー２２を組み付けることで、カバー２２によりケース２１における一面の開口が閉塞され、開口部２０ａが形成される。開口部２０ａは、カバー２２により一面の開口が閉塞されることで、側面の開口が区画されてなる。
【００２２】
回路基板３０は、プリント基板と、プリント基板に実装された図示しない電子部品と、を有している。プリント基板は、樹脂などの電気絶縁材料を用いて形成された基材に、配線が配置されてなる。そして、配線と電子部品とにより、回路が形成されている。回路基板３０は、筐体２０の内部空間に収容されている。
【００２３】
回路基板３０は、一面３０ａと、一面３０ａと板厚方向において反対の裏面３０ｂと、を有している。回路基板３０の板厚方向は、Ｚ方向と略一致している。回路基板３０（プリント基板）は、平面略矩形状をなしている。回路基板３０には、Ｚ方向に貫通するスルーホール３０ｃが複数形成されている。回路基板３０において、スルーホール３０ｃの壁面には、図示しないランドが形成されている。回路基板３０は、ねじ締結、接着など周知の固定方法により、筐体２０に固定されている。
【００２４】
コネクタ４０は、回路基板３０に対し、Ｙ方向の一端側に配置されている。コネクタ４０は、回路基板３０に挿入実装されている。コネクタ４０の一部は筐体２０の開口部２０ａを介して外部に露出され、残りの部分は筐体２０の内部空間に収容されている。コネクタ４０は、ハウジング４１と、複数の端子４２と、を有している。
【００２５】
ハウジング４１は、樹脂材料を用いて形成されている。ハウジング４１は、筒部４１ａと、閉塞部４１ｂと、を有している。筒部４１ａは、筒状に成形されている。筒部４１ａは、Ｙ方向に沿う軸を有している。閉塞部４１ｂは、筒部４１ａに連なり、筒部４１ａを閉塞している。閉塞部４１ｂには、複数の端子４２が保持されている。本実施形態では、閉塞部４１ｂが、筒部４１ａの一端を閉塞している。このため、ハウジング４１は有底筒状をなしている。
【００２６】
端子４２は、導電性材料を用いて形成されており、回路基板３０に構成された回路と外部機器とを電気的に中継する。端子４２は、たとえば圧入固定やインサート成形により、閉塞部４１ｂに保持されている。複数の端子４２は、図１に示すように、ハウジング４１の幅方向であるＸ方向に沿って配列されている。本実施形態では、端子数が多いため、端子４２がＺ方向に多段に配置されている。端子４２は、被保持部４２ａと、嵌合部４２ｂと、脚部４２ｃと、を有している。
【００２７】
被保持部４２ａは、端子４２のうち、ハウジング４１の閉塞部４１ｂに保持されている部分である。図２示す断面では、被保持部４２ａが、Ｚ方向に５段で保持されている。被保持部４２ａは、Ｙ方向に沿って延設されている。
【００２８】
嵌合部４２ｂは、端子４２のうち、外部機器の雌コネクタが嵌合する部分である。嵌合部４２ｂは、上記した雌コネクタと電気的に接続される部分である。嵌合部４２ｂは、被保持部４２ａから筐体２０の内部空間とは反対側に延設されている。嵌合部４２ｂは、筒部４１ａ内に配置されている。
【００２９】
嵌合部４２ｂも、Ｙ方向に延設されている。被保持部４２ａと嵌合部４２ｂとの間には屈曲部を有しておらず、嵌合部４２ｂは嵌合部４２ｂに連続してＹ方向に延びている。Ｚ方向において隣り合う被保持部４２ａの間隔、すなわち隣り合う嵌合部４２ｂの間隔Ｄ１は一定値となっている。間隔Ｄ１は、雌コネクタとの接続構造に応じて決定される。
【００３０】
脚部４２ｃは、端子４２のうち、被保持部４２ａから回路基板３０側に延設された部分である。脚部４２ｃは、被保持部４２ａから嵌合部４２ｂとは反対側に延設された部分である。脚部４２ｃは、第１屈曲部４２ｄと、挿入部４２ｅと、被保持部４２ａと第１屈曲部４２ｄとをつなぐ繋ぎ部４２ｆと、を有している。
【００３１】
第１屈曲部４２ｄは、脚部４２ｃにおいて、挿入部４２ｅと繋ぎ部４２ｆとの間に設けられている。第１屈曲部４２ｄは、脚部４２ｃを、Ｚ方向であって回路基板３０側の下方に延びるように屈曲する部分である。本実施形態では、端子４２における２つの部分Ａ，Ｂの位置関係について、ＡがＢよりもケース２１の底面部側に位置する場合、ＢはＡに対して下方に位置し、ＡはＢに対して上方に位置すると示す。
【００３２】
多段に配置された端子４２において、第１屈曲部４２ｄの位置は、図２に破線で示すように、上方に位置する端子４２の第１屈曲部４２ｄほど、Ｙ方向において閉塞部４１ｂから離れている。すなわち、被保持部４２ａと、該被保持部４２ａに連なる脚部４２ｃの第１屈曲部４２ｄとのＹ方向に沿う距離が、上方に位置する端子４２ほど長くなっている。
【００３３】
挿入部４２ｅは、第１屈曲部４２ｄから下方に延設された部分である。挿入部４２ｅは、回路基板３０の対応するスルーホール３０ｃを挿通している。このため、挿入部４２ｅの一部が、スルーホール３０ｃに挿入されている。挿入部４２ｅは、はんだ５０を介して、スルーホール３０ｃの壁面のランドと電気的に接続されている。多段に配置された端子４２において、挿入部４２ｅはＹ方向に並んでおり、挿入部４２ｅのＹ方向の間隔は一定値となっている。
【００３４】
次に、図２に基づき、繋ぎ部４２ｆの構造について説明する。
【００３５】
本実施形態では、すべての端子４２における繋ぎ部４２ｆが、第１水平部４２ｇと、第２屈曲部４２ｈと、傾斜部４２ｉと、を有している。すなわち、すべての端子４２が、第２屈曲部４２ｈ及び傾斜部４２ｉを備えた傾斜端子４３となっている。
【００３６】
第１水平部４２ｇは、繋ぎ部４２ｆのうち、被保持部４２ａ側の端部から第２屈曲部４２ｈまでの部分である。第１水平部４２ｇは、Ｙ方向に延設されている。すなわち、第１水平部４２ｇは、回路基板３０の一面３０ａに略平行となっている。被保持部４２ａと第１水平部４２ｇとの間には屈曲部を有しておらず、第１水平部４２ｇは、嵌合部４２ｂに連続してＹ方向に延びている。このため、多段に配置された傾斜端子４３において、Ｚ方向に隣り合う第１水平部４２ｇの間隔もＤ１となっている。
【００３７】
第２屈曲部４２ｈ及び傾斜部４２ｉは、被保持部４２ａよりも、該被保持部４２ａに連なる脚部４２ｃの第１屈曲部４２ｄが上方に位置するように、設けられている。本実施形態では、図２に一点鎖線で示すように、回路基板３０が、下方側から１段目の被保持部４２ａよりも上方に位置するように、第２屈曲部４２ｈ及び傾斜部４２ｉが設けられている。換言すれば、被保持部４２ａよりも、該被保持部４２ａに連なる脚部４２ｃの第１屈曲部４２ｄが上方に位置するように、さらには、回路基板３０が１段目の被保持部４２ａよりも上方に位置するように、第２屈曲部４２ｈの曲げ角度及び傾斜部４２ｉの長さが決定されている。
【００３８】
第２屈曲部４２ｈは、繋ぎ部４２ｆを第１屈曲部４２ｄに向けて斜め上方に屈曲する部分である。第２屈曲部４２ｈは、第１水平部４２ｇと傾斜部４２ｉとの間に設けられている。第２屈曲部４２ｈは、Ｙ方向に延設された繋ぎ部４２ｆを、斜め上方に延びるように屈曲する部分である。多段に配置された傾斜端子４３において、第２屈曲部４２ｈのＹ方向の位置は、図２に破線で示すように、互いに略等しい位置となっている。
【００３９】
傾斜部４２ｉは、第２屈曲部４２ｈに対して第１屈曲部４２ｄ側に連なり、第２屈曲部４２ｈから斜め上方に延設されている。多段に配置された傾斜端子４３において、第２屈曲部４２ｈの曲げ角度は、下方に位置する傾斜端子４３ほど大きくなっている。
【００４０】
本実施形態の繋ぎ部４２ｆは、第３屈曲部４２ｊと、第２水平部４２ｋと、をさらに有している。
【００４１】
第３屈曲部４２ｊは、第２屈曲部４２ｈと第１屈曲部４２ｄとの間に設けられ、繋ぎ部４２ｆを第１屈曲部４２ｄに向けて屈曲する。第３屈曲部４２ｊは、傾斜部４２ｉと第２水平部４２ｋとの間に設けられている。第２水平部４２ｋは、繋ぎ部４２ｆのうち、第３屈曲部４２ｊと第１屈曲部４２ｄとの間の部分である。第２水平部４２ｋは、Ｙ方向に延設されている。すなわち、第２水平部４２ｋは、回路基板３０の一面３０ａに略平行となっている。第３屈曲部４２ｊは、斜め上方に延びる繋ぎ部４２ｆをＹ方向に沿うように屈曲する部分である。
【００４２】
多段に配置された傾斜端子４３において、第３屈曲部４２ｊの位置は、図２に破線で示すように、上方に位置する傾斜端子４３ほど、閉塞部４１ｂに近くなっている。すなわち、被保持部４２ａと、該被保持部４２ａに連なる脚部４２ｃの第３屈曲部４２ｊとのＹ方向に沿う距離が、上方に位置する傾斜端子４３ほど短くなっている。これにより、傾斜部４２ｉの延設長さは、上方に位置する傾斜端子４３ほど短くなっている。
【００４３】
第２水平部４２ｋの延設長さは、上方に位置する傾斜端子４３ほど長くなっている。本実施形態では、多段に配置された傾斜端子４３において、Ｚ方向で隣り合う第２水平部４２ｋの間隔Ｄ２が一定値となっている。特に本実施形態では、間隔Ｄ２が、被保持部４２ａの間隔Ｄ１よりも狭くなっている。
【００４４】
このように構成される電子装置１０は、防水構造及び非防水構造のいずれにも適用することができる。
【００４５】
次に、図３及び図４に基づき、上記した電子装置１０及びコネクタ４０の効果について説明する。図３及び図４に示す断面図は、図２に対して簡略化している。図３及び図４では、便宜上、傾斜端子４３の段数を４段としている。図３では、参考例として、従来の電子装置を示している。図３では、本実施形態で示した要素と機能的に及び／又は構造的に対応する部分に、本実施形態で付与した参照符号に対して、１００を加算した参照符号を付与している。
【００４６】
図３に示すように、従来の電子装置１１０では、上記したようにＬ字状の端子１４２を採用している。このため、被保持部１４２ａと、該被保持部１４２ａに連なる脚部１４２ｃの第１屈曲部１４２ｄとが、Ｚ方向においてほぼ同じ位置となっている。また、回路基板１３０が、下方から１段目の被保持部１４２ａよりも下方に位置している。
【００４７】
このような電子装置１１０では、挿入部１４２ｅの先端との接触、さらには挿入部１４２ｅの先端から垂れ下がるはんだつららとの接触を避けるために、筐体１２０を構成するカバー１２２に、たとえば凹部１２２ａを設ける必要がある。したがって、Ｚ方向において電子装置１１０の体格の小型化を図ることが困難である。なお、図３に示す参考例では、電子装置１１０のＺ方向の長さがＤ３となっている。
【００４８】
なお、挿入部１４２ｅにおいては、はんだとの接続のために、第１屈曲部１４２ｄから回路基板１３０までの長さ、及び、回路基板１３０から先端までの長さとして、それぞれ所定長さ以上が必要となる。下方から１段目の端子１４２における挿入部１４２ｅが最も短い。したがって、多段に保持された端子１４２においては、下方から１段目の端子１４２について、上記した長さの関係を満たせばよい。このように、挿入部１４２ｅの先端位置は、１段目の端子１４２における第１屈曲部１４２ｄの位置を基準に決定される。
【００４９】
これに対し、本実施形態では、図４に示すように、複数の端子４２のうち、下方から１段目の被保持部４２ａを有する端子４２が傾斜端子４３となっている。傾斜端子４３は、被保持部４２ａと第１屈曲部４２ｄとの間に、第２屈曲部４２ｈ及び傾斜部４２ｉを有している。第２屈曲部４２ｈは、繋ぎ部４２ｆを第１屈曲部４２ｄに向けて斜め上方に屈曲し、傾斜部４２ｉは、第２屈曲部４２ｈから斜め上方に延設されている。このような第２屈曲部４２ｈ及び傾斜部４２ｉを備えることで、被保持部４２ａよりも、該被保持部４２ａに連なる脚部４２ｃの第１屈曲部４２ｄのほうが、上方に位置している。
【００５０】
これにより、挿入部４２ｅの先端位置を従来よりも上方とすることができる。したがって、Ｚ方向において電子装置１０の体格の小型化を図ることができる。たとえば挿入部４２ｅの先端にはんだつららが生じたとしても、挿入部４２ｅの先端位置が、従来よりも上方となっているため、Ｚ方向において電子装置１０の体格の小型化を図ることができる。図２及び図４に示すように、本実施形態では、カバー２２に凹部を設けなくともよい。したがって、電子装置１０のＺ方向の長さＤ４は、参考例の長さＤ３よりも短くなる。
【００５１】
特に本実施形態では、傾斜端子４３がハウジング４１に多段に保持されている。このため、１段目の端子４２のみを傾斜端子４３とする構成に較べて、電子装置１０の体格の小型化を図ることができる。さらには、すべての端子４２が傾斜端子４３となっているため、電子装置１０の体格をより小型化することができる。
【００５２】
また、本実施形態では、回路基板３０が、１段目の被保持部４２ａよりも上方に位置するように、第２屈曲部４２ｈ及び傾斜部４２ｉが設けられている。回路基板３０を、１段目の被保持部４２ａよりも上方に位置させるため、挿入部４２ｅの先端位置をさらに上方とすることができる。すなわち、Ｚ方向において電子装置１０の体格をより小型化することができる。
【００５３】
また、本実施形態では、傾斜端子４３が、繋ぎ部４２ｆの一部として第３屈曲部４２ｊを有しており、第３屈曲部４２ｊでの屈曲により、第２水平部４２ｋがＹ方向に沿っている。そして、第１屈曲部４２ｄでの曲げ角度が略９０度となっている。第１屈曲部４２ｄの曲げ角度を管理しやすいため、挿入部４２ｅの延設方向がＺ方向に対してばらつくのを抑制することができる。
【００５４】
また、本実施形態では、傾斜端子４３が多段に保持されており、第２屈曲部４２ｈの曲げ角度を上方の傾斜端子４３ほど小さくしている。これにより、多段に保持された傾斜端子４３において、第３屈曲部４２ｊと第１屈曲部４２ｄとの間の部分である第２水平部４２ｋのＺ方向の間隔Ｄ２を、被保持部４２ａにおけるＺ方向の間隔Ｄ１よりも狭くすることができる。すなわち、Ｚ方向において電子装置１０の体格をより小型化することができる。
【００５５】
また、本実施形態では、被保持部４２ａと、該被保持部４２ａに連なる脚部４２ｃの第３屈曲部４２ｊとのＹ方向に沿う距離が、上方に位置する傾斜端子４３ほど短くなっている。これによっても、多段に保持された傾斜端子４３において、第３屈曲部４２ｊと第１屈曲部４２ｄとの間の部分である第２水平部４２ｋのＺ方向の間隔Ｄ２を、被保持部４２ａにおけるＺ方向の間隔Ｄ１よりも狭くすることができる。すなわち、Ｚ方向において電子装置１０の体格をより小型化することができる。
【００５６】
本実施形態では、多段に保持された傾斜端子４３において、第２屈曲部４２ｈの曲げ角度を上方の傾斜端子４３ほど小さくし、且つ、被保持部４２ａと、該被保持部４２ａに連なる脚部４２ｃの第３屈曲部４２ｊとのＹ方向に沿う距離を、上方に位置する傾斜端子４３ほど短くしている。これにより、第２水平部４２ｋのＺ方向の間隔Ｄ２が、一定値となっている。これによれば、傾斜端子４３間の絶縁空間距離を管理しやすい。
【００５７】
なお、繋ぎ部４２ｆにおいて、第３屈曲部４２ｊと第１屈曲部４２ｄの間の部分が、Ｙ方向に延設された第２水平部４２ｋの例を示した。しかしながら、第２水平部４２ｋに限定されない。すなわち、Ｙ方向に沿うものに限定されない。この場合にも、第３屈曲部４２ｊと第１屈曲部４２ｄの間の部分におけるＺ方向の間隔の最も狭い部分を、被保持部４２ａの間隔Ｄ１よりも狭くすることで、電子装置１０の体格をより小型化することができる。
【００５８】
また、第２屈曲部４２ｈの曲げ角度を、上方の傾斜端子４３ほど小さくする例を示した。しかしながら、第２屈曲部４２ｈの曲げ角度を、多段に保持された傾斜端子４３で同じ角度としてもよい。この場合、被保持部４２ａと、該被保持部４２ａに連なる脚部４２ｃの第３屈曲部４２ｊとのＹ方向に沿う距離を、上方に位置する傾斜端子４３ほど短くなるようにすることで、第２水平部４２ｋのＺ方向の間隔Ｄ２を、被保持部４２ａにおけるＺ方向の間隔Ｄ１よりも狭くすることができる。すなわち、Ｚ方向において電子装置１０の体格をより小型化することができる。
【００５９】
また、被保持部４２ａと、該被保持部４２ａに連なる脚部４２ｃの第３屈曲部４２ｊとのＹ方向に沿う距離を、上方に位置する傾斜端子４３ほど短くなるようにする例を示した。しかしながら、被保持部４２ａと、該被保持部４２ａに連なる脚部４２ｃの第３屈曲部４２ｊとのＹ方向に沿う距離を、多段に保持された傾斜端子４３で互いに同じ距離としてもよい。この場合、第２屈曲部４２ｈの曲げ角度を、上方の傾斜端子４３ほど小さくすることで、第２水平部４２ｋのＺ方向の間隔Ｄ２を、被保持部４２ａにおけるＺ方向の間隔Ｄ１よりも狭くすることができる。すなわち、Ｚ方向において電子装置１０の体格をより小型化することができる。
【００６０】
また、回路基板３０が、１段目の被保持部４２ａよりも上方に位置する例を示した。しかしながら、被保持部４２ａよりも、該被保持部４２ａに連なる脚部４２ｃの第１屈曲部４２ｄのほうが上方に位置し、且つ、回路基板３０が、１段目の被保持部４２ａよりも下方に位置する構成を採用することもできる。
【００６１】
（第２実施形態）
本実施形態は、先行実施形態を参照できる。このため、先行実施形態に示した電子装置１０及びコネクタ４０と共通する部分についての説明は省略する。
【００６２】
図５は、本実施形態の電子装置１０及びコネクタ４０を示している。本実施形態でも、傾斜端子４３がハウジング４１に多段に保持されている。第２屈曲部４２ｈの位置は、図５に破線で示すように、上方に位置する傾斜端子４３ほど、閉塞部４１ｂから離れている。すなわち、被保持部４２ａと、該被保持部４２ａに連なる脚部４２ｃの第２屈曲部４２ｈとのＹ方向に沿う距離が、上方に位置する傾斜端子４３ほど長くなっている。すなわち、第１水平部４２ｇの延設長さは、上方に位置する傾斜端子４３ほど長くなっている。
【００６３】
また、多段に配置された傾斜端子４３において、第３屈曲部４２ｊのＹ方向の位置は、図５に破線で示すように、互いに略等しい位置となっている。
【００６４】
このように、被保持部４２ａと、該被保持部４２ａに連なる脚部４２ｃの第２屈曲部４２ｈとのＹ方向に沿う距離が、上方に位置する傾斜端子４３ほど長い構成としても、第１実施形態と同様の効果を奏することができる。
【００６５】
（第３実施形態）
本実施形態は、先行実施形態を参照できる。このため、先行実施形態に示した電子装置１０及びコネクタ４０と共通する部分についての説明は省略する。
【００６６】
図６は、本実施形態の電子装置１０及びコネクタ４０を示している。本実施形態でも、傾斜端子４３がハウジング４１に多段に保持されている。傾斜端子４３は、第３屈曲部４３ｊ及び第２水平部４２ｋを有しておらず、傾斜部４２ｉが第１屈曲部４２ｄに連なっている。
【００６７】
このように、傾斜端子４３が第３屈曲部４３ｊ及び第２水平部４２ｋを有さない構成としても、第２屈曲部４２ｈ及び傾斜部４２ｉを有するため、第１実施形態同様、Ｚ方向において電子装置１０の体格の小型化を図ることができる。
【００６８】
また、回路基板３０が、１段目の被保持部４２ａよりも上方に位置するように、第２屈曲部４２ｈ及び傾斜部４２ｉを設けることで、電子装置１０の体格をより小型化することができる。
【００６９】
（第４実施形態）
本実施形態は、先行実施形態を参照できる。このため、先行実施形態に示した電子装置１０及びコネクタ４０と共通する部分についての説明は省略する。
【００７０】
図７は、本実施形態の電子装置１０及びコネクタ４０を示している。本実施形態では、ハウジング４１に多段に保持された端子４２のうち、最上段の端子４２のみが略Ｌ字状をなすＬ型端子４４とされ、残りの端子４２が傾斜端子４３となっている。すなわち、１段目から３段目の端子４２が傾斜端子４３とされ、４段目の端子４２がＬ型端子４４となっている。
【００７１】
本実施形態では、傾斜端子４３が、多段に配置された端子４２のうち、下方に配置されている。したがって、挿入部４２ｅの先端位置を、従来よりも上方とすることができる。すなわち、Ｚ方向において電子装置１０の体格を小型化することができる。
【００７２】
（第５実施形態）
本実施形態は、先行実施形態を参照できる。このため、先行実施形態に示した電子装置１０及びコネクタ４０と共通する部分についての説明は省略する。
【００７３】
図８は、本実施形態の電子装置１０及びコネクタ４０を示している。本実施形態では、端子４２としての傾斜端子４３が、ハウジング４１に１段で保持されている。
【００７４】
本実施形態においても、下方から１段目の被保持部４２ａを有する端子４２が、傾斜端子４３となっている。したがって、第１実施形態同様、Ｚ方向において電子装置１０の体格の小型化を図ることができる。
【００７５】
図８では、回路基板３０が、１段目の被保持部４２ａよりも下方に位置している。しかしながら、回路基板３０が、１段目の被保持部４２ａよりも上方に位置するように、第２屈曲部４２ｈ及び傾斜部４２ｉを設けてもよい。
【００７６】
この明細書の開示は、例示された実施形態に制限されない。開示は、例示された実施形態と、それらに基づく当業者による変形態様を包含する。たとえば、開示は、実施形態において示された要素の組み合わせに限定されない。開示は、多様な組み合わせによって実施可能である。開示される技術的範囲は、実施形態の記載に限定されない。開示されるいくつかの技術的範囲は、特許請求の範囲の記載によって示され、さらに特許請求の範囲の記載と均等の意味及び範囲内でのすべての変更を含むものと解されるべきである。
【００７７】
電子装置１０としてエンジンＥＣＵの例を示したが、これに限定されるものではない。さらに、電子制御装置に限定されるものではない。電子装置１０としては、筐体２０、回路基板３０、及びコネクタ４０を備えるものであればよい。
【００７８】
端子４２が回路基板３０に対して挿入実装される例を示した。しかしながら、端子４２が回路基板３０に対して表面実装される構成において、上記した傾斜端子４３の構造を採用しても、Ｚ方向の小型化について同様の効果を奏することができる。具体的には、表面実装構造の端子として、第２屈曲部及び傾斜部を備える傾斜端子を採用することで、被保持部よりも、該被保持部に連なる脚部の第１屈曲部を、上方に位置させることができる。これにより、挿入部の先端位置、ひいては回路基板の位置を従来よりも上方とすることができる。したがって、Ｚ方向において電子装置の体格の小型化を図ることができる。
【符号の説明】
【００７９】
１０…電子装置、
２０…筐体、２０ａ…開口部、２１…ケース、２２…カバー、
３０…回路基板、３０ａ…一面、３０ｂ…裏面、３０ｃ…スルーホール、
４０…コネクタ、４１…ハウジング、４１ａ…筒部、４１ｂ…閉塞部、４２…端子、４２ａ…被保持部、４２ｂ…嵌合部、４２ｃ…脚部、４２ｄ…第１屈曲部、４２ｅ…挿入部、４２ｆ…繋ぎ部、４２ｇ…第１水平部、４２ｈ…第２屈曲部、４２ｉ…傾斜部、４２ｊ…第３屈曲部、４２ｋ…第２水平部、４３…傾斜端子、４４…Ｌ型端子、
５０…はんだ
【図１】
0006583065.tif 000002
【図２】
0006583065.tif 000003
【図３】
0006583065.tif 000004
【図４】
0006583065.tif 000005
【図５】
0006583065.tif 000006
【図６】
0006583065.tif 000007
【図７】
0006583065.tif 000008
【図８】
0006583065.tif 000009